(57)【要約】【課題】部品点数を削減するとともに構造を簡素化し、かつ装置を小型化する。【解決手段】矢印Ａ−Ｂ方向へ移動する移動部材２５に、カードＣを載置する載置部２５ａと、載置部２５ａよりも高い爪部２５ｃとを設ける。爪部２５ｃよりもカード送り方向と反対方向である矢印Ｂ方向においてローラ２６を移動部材２５に回転自在に支持する。ローラ２６の上端は、爪部２５ｃよりも高く、載置部２５ａからカードＣの２枚分の厚み２ｔよりも低く形成する。【選択図】  図７
2005078524.tif 000002
【特許請求の範囲】
【請求項１】
厚み方向に積載された多数のカードのうち最下層のカードを１枚ずつ送り出すカード送り出し装置において、最下層のカードの後端に係合する爪を有し水平状態でカードの送り方向に往復動自在な移動部材と、前記爪の後側において前記移動部材に回転自在に支持されたローラとを備え、このローラの上端を前記爪よりも上方に突出させたことを特徴とするカード送り出し装置。
【請求項２】
請求項１記載のカード送り出し装置において、前記ローラの上端を、積載されたカードの最下層のカードから２枚目のカードの上端よりも低い位置に位置付けたことを特徴とするカード送り出し装置。
【発明の詳細な説明】
【技術分野】
【０００１】
本発明は、厚み方向に積載して蓄積された多数のカードのうち最下層のカードを１枚ずつ送り出すカード送り出し装置に関するものである。
【背景技術】
【０００２】
この種のカード送り出し装置においては、爪部材によって最下層のカードを送り出した後に爪部材が戻るときに、この爪部材が次のカードの下面に摺接するためにカードの下面に傷が付くという問題があった。これを解消するために、従来のカード送り出し装置は、厚み方向に積載して蓄積された多数のカードのうち最下層のカードの後端に係合し水平状態でカードの送り方向に往復動自在な爪部材と、この爪部材の戻り時に蓄積カードを上昇させるカード昇降部材とを備えたものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２０００−３６０１２号公報（段落「００１７」、「００１８                    」、図８）
【発明の開示】
【発明が解決しようとする課題】
【０００３】
上述した従来のカードの送り出し装置においては、爪部材を往復動させるためのモータに連動するカムと、このカムによって揺動する揺動板と、この揺動板とカード昇降板とを連結する連結部材とを必要とするために、部品点数が増加するばかりではなく構造が複雑になりかつ装置が大型化するという問題があった。
【０００４】
本発明は上記した従来の問題に鑑みなされたものであり、その目的とするところは、部品点数を削減するとともに構造を簡素化し、かつ装置を小型化することにある。
【課題を解決するための手段】
【０００５】
この目的を達成するために、請求項１に係る発明は、厚み方向に積載された多数のカードのうち最下層のカードを１枚ずつ送り出すカード送り出し装置において、最下層のカードの後端に係合する爪を有し水平状態でカードの送り方向に往復動自在な移動部材と、前記爪の後側において前記移動部材に回転自在に支持されたローラとを備え、このローラの上端を前記爪よりも上方に突出させたものである。
また、請求項２に係る発明は、請求項１に係る発明において、前記ローラの上端を、積載されたカードの最下層のカードから２枚目のカードの上端よりも低い位置に位置付けたものである。
【発明の効果】
【０００６】
請求項１に係る発明によれば、部品点数を削減することができるとともに構造が簡素化され、かつ装置を小型化することができる。
請求項２に係る発明によれば、カードの２枚送りを防止することができる。
【発明を実施するための最良の形態】
【０００７】
以下、本発明の実施の形態を図に基づいて説明する。図１は本発明に係るカード送り出し装置の平面図、図２は図１におけるII-II 線断面図、図３ないし図６は同じくカードの送り出しの動作を説明するための要部の側断面図、図７は同じく要部を拡大して示した側面図で、同図（ａ）はカードを送り出す以前の状態を示し、同図（ｂ）は爪部材を初期位置に戻す途中の状態を示す。
【０００８】
図１および図２で全体を符号１で示すカード送り出し装置は基台２を備えており、この基台２の中央部には矢印Ａ−Ｂ方向に延在する長方形の窓２ａが設けられており、この基台２は４辺が下方に折曲形成されており、図３に示すように、前板２ｂ、後板２ｃ、両側板２ｄ，２ｄ（一方の側板２ｄは図示を省略）が設けられている。基台２の両側板２ｄには、外側板３，３が互いに対向して立設するように固定されており、基台２上には、外側板３，３と平行になるように内側板４，４が互いに対向して立設するように固定されている。これら内側板４，４の折曲形成された前端部４ａ，４ａにはフロントパネル５が立設するように固定されている。
【０００９】
基台２の前板２ｂには、図３に示すように、載置板７が水平状態となるように固定されており、この載置板７上には、基台２上に設置される後述するスタッカ３７内に積層されたカードＣの前端側が載置される。８は前板２ｂに固定されたゲージ板であって、このゲージ板８のゲージ孔８ａと載置板７との間には、スリット状に形成されたカード排出口９が設けられており、このカード排出口９の高さ方向の寸法Ｄは、カードＣの１枚の厚みよりも大きく、かつカードＣの２枚の厚みよりも小さく形成されている。
【００１０】
１１は駆動ローラであって、両外側板３，３間に回転自在に軸支された駆動軸１２に軸着されており、駆動軸１２の一端部には、図１に示すように、プーリ１３が軸着され、駆動軸１２の他端部にはダイヤル１４が軸着されている。したがって、プーリ１３に張架されたベルトを介してモータ（いずれも図示せず）の駆動が伝達されており、駆動ローラ１１は駆動軸１２を介して図３中反時計方向に回転する。また、カード詰まりが発生したとき等においては、ダイヤル１４を回転操作することにより手動によっても駆動ローラ１１を回転できるように構成されている。
【００１１】
１５，１５は一対のピンチローラであって、両外側板３，３に図示を省略したガイド部材によって上下方向に移動自在に支持された軸１６に回転自在に軸支され、軸１６を下方に付勢する圧縮コイルばね１７によって駆動ローラ１１に対接している。これら駆動ローラ１１とピンチローラ１５とは、上記したカード排出口９から排出されたカードＣを挟持し矢印Ａ方向へ搬送する。
【００１２】
次に、図１、図３および図７を用いてカード送り出し手段２０について説明する。
カード送り出し手段２０は、カードＣの後端に係合する爪部２５ｃを有する移動部材２５と、爪部２５ｃの後側において移動部材２５に回転自在に支持されたローラ２６と、移動部材２５を矢印Ａ−Ｂ方向へ移動させるモータ３２とによって概略構成されている。２１は基台２に固定されたブラケットであって、前端部と後端部とが互いに対向するように折り曲げられて折曲部２１ａ，２１ａが形成されており、中央部には矢印Ａ−Ｂ方向に延在する長方形の窓２１ｂが設けられている。このブラケット２１の折曲部２１ａ，２１ａ間に２本のガイドバー２２，２２が互いに平行で矢印Ａ−Ｂ方向に延在するように支架されている。このブラケット２１は、窓２１ｂが上記した基台２の窓２ａに対応するようにして基台２に固定されている。
【００１３】
移動部材２５は扁平な略直方体状に形成されており、上面が平坦状に形成され上記した載置板７とともに、スタッカ３７内に積層されたカードＣを載置する載置部２５ａが設けられている。移動部材２５の上面の矢印Ｂ方向の端部には、図７に示すように矢印Ａ−Ｂ方向と直交する溝２５ｂが設けられており、この溝２５ｂの後端壁は載置部２５ａよりも高さＴ１だけ上方に突出形成され爪部２５ｃが設けられている。この突出高さＴ１はカードＣの１枚分の厚みｔよりもやや低くなるように形成されている。
【００１４】
移動部材２５の爪部２５ｃの矢印Ｂ方向、すなわちカードＣの送り方向と反対方向の部位には、載置部２５ａよりも平面視において幅が狭く形成された支持部２５ｄが一体に形成されており、この支持部２５ｄの両側端面には小軸２７，２７が植設されている。これら小軸２７，２７にはローラ２６，２６が回転自在に支持されており、このローラ２６の上端は爪部２５ｃよりも上方に突出し、支持部２５ｄの上端面２５ｅから上方に突出している。移動部材２５の載置部２５ａに対するローラ２６の上端面の突出高さＴ２は、カードＣの２枚分の厚みｔ２よりも低くなるように形成されている。
【００１５】
移動部材２５の下面は支持板２８上に固定され、この支持板２８の下面にはガイド部材２９が固定されており、このガイド部材２９は扁平な直方体状に形成され、矢印Ａ−Ｂ方向に延在する２個の挿通孔２９ａ，２９ａが貫通形成されている。この挿通孔２９ａに上記したガイドバー２２が挿通されており、移動部材２５はガイド部材２９を介してガイドバー２２に矢印Ａ−Ｂ方向に移動自在にされている。ガイドバー２２に支持された移動部材２５の載置部２５ａは、ブラケット２１の窓２１ｂおよび基台２の窓２ａから上方に突出するようにして露呈しており、この載置部２５ａは載置板７と同じ高さに位置付けられている。
【００１６】
３０は扁平な直方体状に形成された移動子であって、ガイド部材２９の一方の側部に固定されており、上下方向に延在する被駆動溝３０ａが凹設されている。３２は外側板３に固定されたモータであって、出力軸３３に駆動子３４の一端側が軸着されており、駆動子３４の他端側には、移動子３０の被駆動溝３０ａに係入したピン３５が植設されている。したがって、モータ３２を駆動することによって出力軸３３が反時計方向へ１８０°回動すると、駆動子３４を介してピン３５が出力軸３３を回動中心として１８０°反時計方向に回動するため、移動子３０が矢印Ａ方向へ移動するから移動部材２５も矢印Ａ方向へ移動する。さらに出力軸３３が１８０°回転すると、駆動子３４を介してピン３５が出力軸３３を回転中心として、さらに１８０°反時計方向に回転するため、矢印Ａ方向へ移動した移動子３０が矢印Ｂ方向へ移動するから移動部材２５も矢印Ｂ方向へ移動し初期位置に戻る。
【００１７】
３７は多数枚のカードＣを積載して蓄積するスタッカであって、上方および下方が開口した略角筒状に形成されており、両側板の下端部が水平方向に折曲形成されスタッカ３７内に積載されたカードＣを支持するカード支持部３７ａ，３７ａが設けられ、前板および後板の下端部にはスリット状に形成した切欠き３７ｂ，３７ｃが設けられている。このスタッカ３７は周知の着脱手段によって、前板がフロントパネル５に密着して基台２上に立設するようにして取り付けられており、図１に示すように一対のカード支持部３７ａ，３７ａ間に基台２の切欠き２ａが位置付けられている。この状態で、スタッカ３７内の多数枚のカードＣのうち、最下層のカードＣＡがスタッカ３７のカード支持部３７ａ，３７ａから離間して載置板７および移動部材２５の載置部２５ａ上に載置されている。
【００１８】
次に、図３ないし図７を用いて、このような構成のカード送り出し装置におけるカードの送り出しの動作を説明する。
【００１９】
多数枚のカードＣが積層されたスタッカ３７を基台２上に設置した図３の状態においては、上述したように、スタッカ３７内の多数枚のカードＣのうち、最下層のカードＣＡが載置板７および移動部材２５の載置部２５ａ上に載置されている。この状態から、モータ３２を駆動するとともに、図示を省略したモータを駆動して駆動ローラ１１を反時計方向に回転させる。モータ３２の駆動によって出力軸３３が反時計方向へ９０°回動すると、図７（ａ）に示すように、移動部材２５の爪部２５ｃが載置部２５ａよりも高さＴ１だけ高く形成され、この高さＴ１がカードＣの１枚分の厚みｔよりも低く形成されているから、爪部２５ｃが最下層のカードＣＡの後端に係合する。
【００２０】
したがって、図４に示すように、移動部材２５の矢印Ａ方向の移動にともなって、最下層のカードＣＡのみが矢印Ａ方向へ移動し、前端部がカード排出口９から外部に突出する。また、このとき、爪部２５ｃよりも上方に突出したローラ２６の突出高さＴ２が、カードＣの２枚分の厚みｔ２よりも低くなるように形成されているから、移動部材２５が矢印Ａ方向へ移動するときに、このローラ２６によって次のカードＣＢの矢印Ａ方向への移動が防止されるため、カードＣの２枚送りが防止される。また、ローラ２６が回転自在に支持されているため、移動部材２５が矢印Ａ方向へ移動するときに、２枚目のカードＣＢの下面に接触するローラ２６が回転するから、ローラ２６によってカードＣＢの下面に傷を付けるようなことがない。
【００２１】
さらに、モータ３２の出力軸３３が反時計方向へ９０°回動すると、図５に示すように、移動部材２５の矢印Ａ方向の移動にともなって、最下層のカードＣＡがさらに矢印Ａ方向へ移動し、前端部が駆動ローラ１１とピンチローラ１５との間に搬送される。したがって、駆動ローラ１１の反時計方向の回転によって、カードＣＡは駆動ローラ１１とピンチローラ１５とに挟持された状態で矢印Ａ方向へ搬送されるため、カードＣＡはカード排出口９から排出されてカードを処理する図示を省略したカード処理装置に送り出される。
【００２２】
さらに、モータ３２の出力軸３３を反時計方向へ９０°回動させると、図６および図７（ｂ）に示すように、移動部材２５が矢印Ｂ方向に移動する。このとき、爪部２５ｃよりも矢印Ｂ方向に設けられ、かつ上端が爪部２５ｃよりも上方に突出したローラ２６によって、最下層のカードＣＢが持ち上げられるため、爪部２５ｃと最下層のカードＣＢとの間に間隔δの隙間が形成される。したがって、移動部材２５が矢印Ｂ方向へ移動中は、最下層のカードＣＢに爪部２５ｃが接触するようなことがないために、爪部２５ｃによって最下層のカードＣＢの下面に傷が付くようなことがない。また、ローラ２６が回転自在に支持されているため、移動部材２５が矢印Ａ方向へ移動するときと同様に、最下層のカードＣＢの下面に接触するローラ２６が回転するから、ローラ２６によってカードＣＢの下面に傷を付けるようなことがない。
【００２３】
このように、爪部２５ｃを有する移動部材にローラ２６を回転自在に支持する構成によって、カードＣに傷を付けることを防止できるため、従来のようにモータの駆動に連動するカムや、このカムによって揺動する揺動板や、この揺動板とカード昇降板とを連結する連結部材等を必要としないため、部品点数を削減することができるとともに構造が簡素化され、かつ装置を小型化することができる。
【図面の簡単な説明】
【００２４】
【図１】本発明に係るカード送り出し装置の平面図である。
【図２】図１におけるII-II 線断面図である。
【図３】本発明に係るカード送り出し装置におけるカードの送り出しの動作を説明するための要部の側断面図であって、初期位置の状態を示す。
【図４】本発明に係るカード送り出し装置におけるカードの送り出しの動作を説明するための要部の側断面図であって、カードの送り出しの途中の状態を示す。
【図５】本発明に係るカード送り出し装置におけるカードの送り出しの動作を説明するための要部の側断面図であって、カードの送り出し量が最大の状態を示す。
【図６】本発明に係るカード送り出し装置におけるカードの送り出しの動作を説明するための要部の側断面図であって、爪部材を初期位置に戻す途中の状態を示す。
【図７】本発明に係るカード送り出し装置における要部を拡大して示した側面図で、同図（ａ）はカードを送り出す以前の状態を示し、同図（ｂ）は爪部材を初期位置に戻す途中の状態を示す。
【符号の説明】
【００２５】
１…カード送り出し装置、７…載置台、９…排出口、１１…供給ローラ、１５…ピンチローラ、２２…ガイドバー、２５…移動部材、２５ａ…載置部、２５ｃ…爪部、２５ｄ…支持部、２６…ローラ、３０…移動子、３２…モータ、３４…駆動子、３５…駆動ピン、３７…スタッカ、Ｃ，ＣＡ，ＣＢ…カード。
【図１】
2005078524.tif 000003
【図２】
2005078524.tif 000004
【図３】
2005078524.tif 000005
【図４】
2005078524.tif 000006
【図５】
2005078524.tif 000007
【図６】
2005078524.tif 000008
【図７】
2005078524.tif 000009